(57)【要約】【課題】専用の携帯端末ではなく、閲覧者自身が所有するスマートフォンなどの携帯端末により携帯端末の位置推定を実現することのできる展示物説明システムを提供する。【解決手段】展示物説明システム１は、展示会場において、閲覧者が携帯しているスマートフォンに展示物のガイダンスを実行させるためのアプリケーションを起動した携帯端末１００と、展示物４００の近傍に設置される基地局２００（無線ＬＡＮアクセスポイント）と、展示物４００の説明情報を予め保存して各携帯端末１００に配信する展示物説明情報配信サーバ３００と、を有する。ここで、携帯端末１００と基地局２００は無線ＬＡＮを介して通信を行い、各基地局２００と展示物説明情報配信サーバ３００とは有線ＬＡＮを介して通信を行う。【選択図】図１
2013026765.tif 000002
【特許請求の範囲】
【請求項１】
展示会場で使用される携帯端末に展示物の情報を配信することにより、説明サービスを提供する展示物説明システムにおいて、
展示物と紐付けされて展示物の近傍に配置される複数の基地局と、
各展示物の説明情報を各携帯端末に配信する展示物説明情報配信サーバと、
携帯端末と基地局とを接続する無線ＬＡＮネットワークと、
を有し、
各携帯端末は、
各基地局が送信する送受信フレーム信号を受信してその電界強度を測定する電界強度測定手段と、
電界強度測定手段により所定期間内に測定した各基地局の電界強度履歴を用いて当該携帯端末の近傍の基地局を推定する近傍基地局推定手段と、
近傍基地局推定手段により推定した近傍基地局に紐付けされた展示物のリストを表示する近傍展示物リスト表示手段と、
近傍展示物リスト表示手段が表示した近傍展示物リストについて表示要求を受け付けることにより、当該展示物の説明情報を展示物説明情報配信サーバに要求する展示物説明情報要求手段と、
展示物説明情報配信サーバから配信された情報を表示する展示物説明情報表示手段と、
を有し、
近傍展示物リスト表示手段は、予め決められている展示物閲覧順序と、前記近傍基地局推定手段により推定した近傍基地局と、に基づいて近傍展示物リストを表示することを特徴とする展示物説明システム。
【請求項２】
請求項１に記載の展示物説明システムにおいて、
電界強度測定手段は、基地局が送信するビーコンフレーム信号を受信して電界強度を測定することを特徴とする展示物説明システム。
【請求項３】
請求項１に記載の展示物説明システムにおいて、
電界強度測定手段は、携帯端末が送信したプローブリクエストフレーム信号に対する各基地局からのプローブレスポンスフレーム信号を受信して電界強度を測定することを特徴とする展示物説明システム。
【請求項４】
請求項１から３のいずれか１項に記載の展示物説明システムにおいて、
近傍基地局推定手段は、所定期間内のフレーム受信回数が一定値以上であり、かつ、所定期間内に測定した電界強度の平均値が大きい基地局の方が、平均値が小さい基地局よりも近傍にあると推定することを特徴とする展示物説明システム。
【請求項５】
請求項１から４のいずれか１項に記載の展示物説明システムにおいて、
携帯端末は携帯電話にパーソナルコンピュータ及び携帯情報端末の機能を有するスマートフォンであり、
電界強度測定手段、近傍基地局推定手段、近傍展示物リスト表示手段、展示物説明情報要求手段、展示物説明情報表示手段がアプリケーションであり、
当該アプリケーションは、インターネットを介してスマートフォンにダウンロードでき、展示物説明情報要求手段と展示物説明情報表示手段とは、無線ＬＡＮネットワークを介して情報伝送することを特徴とする展示物説明システム。
【発明の詳細な説明】
【技術分野】
【０００１】
本発明は、無線ＬＡＮネットワークを利用して閲覧者が携帯する携帯端末の位置を推定し、携帯端末近傍の展示物に対する文字、画像、音声などのガイダンス情報を、当該携帯端末に伝送する展示物説明システムに関する。
【背景技術】
【０００２】
従来、歴史博物展や美術展などの展示会場において、閲覧者に展示物のガイダンスを行うために、音声が記録された音声ガイダンス端末などが有料で貸し出されている。また、このような音声ガイダンス端末の代わりに、無線ＬＡＮネットワーク経由でデータを転送して展示物のガイダンスを行うものとして、例えば、特許文献１に示されているように閲覧者に携帯端末を携帯してもらい、それぞれの展示物の近くにＲＦＩＤタグを貼り付けておき、ＲＦＩＤタグに近づくことにより展示物の情報を携帯端末に効率良く伝送するシステムが提案されている。
【０００３】
また、上記ＲＦＩＤタグの代わりに無線ＬＡＮネットワークを利用して携帯端末の位置を推定するシステムとしては、例えば、特許文献２に示されているように、複数の電波傍受部で取得した電波強度を比較し、最も近いと判断された電波傍受部の存在エリアを電波発信端末が存在するエリアと推定するシステムが提案されている。
【先行技術文献】
【特許文献】
【０００４】
【特許文献１】特開２００７−１４３０２８号
【特許文献２】特許第４４４５９５１号
【発明の概要】
【発明が解決しようとする課題】
【０００５】
上述したように、従来の展示物説明システムは、専用の携帯端末が必要であり、また、特許文献１のように、きめ細かい案内を可能にするには、無線ＬＡＮネットワークの他にＲＦＩＤタグを利用するなどの必要があるため、低コストといいながらも、システム導入費が高価になるという課題があった。また、無線ＬＡＮネットワークを利用して携帯端末の位置を推定する場合は、携帯端末の発信する電波を傍受するための専用機器が必要となり、市販されている携帯端末は無線ＬＡＮ基地局（例えば、市販の無線ＬＡＮアクセスポイント）の他に、位置を推定する装置が必要になるという課題があった。
【０００６】
そこで、本発明に係る展示物説明システムでは、専用の携帯端末ではなく、閲覧者自身が所有するスマートフォンなどの携帯端末により携帯端末の位置推定を実現することのできる展示物説明システムを提供することを目的とする。
【課題を解決するための手段】
【０００７】
以上のような目的を達成するために、本発明に係る展示物説明システムは、展示会場で使用される携帯端末に展示物の情報を配信することにより、説明サービスを提供する展示物説明システムにおいて、展示物と紐付けされて展示物の近傍に配置される複数の基地局と、各展示物の説明情報を各携帯端末に配信する展示物説明情報配信サーバと、携帯端末と基地局とを接続する無線ＬＡＮネットワークと、を有し、各携帯端末は、各基地局が送信する送受信フレーム信号を受信してその電界強度を測定する電界強度測定手段と、電界強度測定手段により所定期間内に測定した各基地局の電界強度履歴を用いて当該携帯端末の近傍の基地局を推定する近傍基地局推定手段と、近傍基地局推定手段により推定した近傍基地局に紐付けされた展示物のリストを表示する近傍展示物リスト表示手段と、近傍展示物リスト表示手段が表示した近傍展示物リストについて表示要求を受け付けることにより、当該展示物の説明情報を展示物説明情報配信サーバに要求する展示物説明情報要求手段と、展示物説明情報配信サーバから配信された情報を表示する展示物説明情報表示手段と、を有し、近傍展示物リスト表示手段は、予め決められている展示物閲覧順序と、前記近傍基地局推定手段により推定した近傍基地局と、に基づいて近傍展示物リストを表示することを特徴とする。
【０００８】
また、本発明に係る展示物説明システムにおいて、電界強度測定手段は、基地局が送信するビーコンフレーム信号を受信して電界強度を測定することを特徴とする。なお、本発明では、電界強度だけでなく、閲覧状況及び展示物閲覧順序を用いることにより近傍基地局を推定することが可能となる。
【０００９】
また、本発明に係る展示物説明システムにおいて、電界強度測定手段は、携帯端末が送信したプローブリクエストフレーム信号に対する各基地局からのプローブレスポンスフレーム信号を受信して電界強度を測定することを特徴とする。プローブレスポンスフレームには、自基地局のＭＡＣアドレスが含まれることから、基地局と電界強度の紐付けが容易となる。
【００１０】
また、本発明に係る展示物説明システムにおいて、近傍基地局推定手段は、所定期間内のフレーム受信回数が一定値以上であり、かつ、所定期間内に測定した電界強度の平均値が大きい基地局の方が、平均値が小さい基地局よりも近傍にあると推定することを特徴とする。
【００１１】
さらに、本発明に係る展示物説明システムにおいて、携帯端末は携帯電話にパーソナルコンピュータ及び携帯情報端末の機能を有するスマートフォンであり、電界強度測定手段、近傍基地局推定手段、近傍展示物リスト表示手段、展示物説明情報要求手段、展示物説明情報表示手段がアプリケーションであり、当該アプリケーションは、インターネットを介してスマートフォンにダウンロードでき、展示物説明情報要求手段と展示物説明情報表示手段とは、無線ＬＡＮネットワークを介して情報伝送することを特徴とする。
【発明の効果】
【００１２】
本発明の展示物説明システムを用いることにより、携帯端末は専用機ではなく、閲覧者自身が所有するスマートフォンなどの携帯端末を利用でき、携帯端末の位置推定に関しては電波傍受用の専用機器は使用せずに、携帯端末と無線ＬＡＮ基地局の間で簡易な手段により電界強度測定を実施して位置推定可能とすることにより、システム開発費、システム導入費を低減することができるという効果がある。なお、スマートフォンとは、携帯電話にパーソナルコンピュータやPDA（携帯情報端末）の機能を有するものである。
【図面の簡単な説明】
【００１３】
【図１】本発明の実施形態に係る展示物説明システムの構成を示すブロック図である。
【図２】図１に示した携帯端末の構成図である。
【図３】図１に示した基地局の構成図である。
【図４】図１に示した展示物説明情報配信サーバの構成図である。
【図５】本実施形態に係る展示物と基地局を紐付けした基地局・展示物紐付けリストを説明する説明図である。
【図６】本実施形態に係る携帯端末の表示画面の一例である。
【図７】本実施形態に係る携帯端末の表示画面の一例である。
【図８】本実施形態に係る携帯端末に表示した展示物の一例を説明する説明図である。
【図９】本実施形態に係る携帯端末の表示画面の一例である。
【図１０】図１に示した展示物説明システムにおいて、携帯端末が閲覧者に対して展示物のガイダンス処理の流れを示したフローチャート図である。
【図１１】第１の実施形態に係る電界強度測定手段の通信処理の流れを説明する説明図である。
【図１２】第１の実施形態に係る電界強度測定手段と近傍基地局推定手段の実行状態を説明する説明図である。
【図１３】第１の実施形態に係る電界強度測定履歴を説明する説明図である。
【図１４】第２の実施形態に係る電界強度測定手段の通信処理の流れを説明する説明図である。
【図１５】第２の実施形態に係る電界強度測定手段においてプローブリクエストフレームを利用した処理の流れを説明する説明図である。
【図１６】図１５による電界強度測定履歴の一例を説明する説明図である。
【発明を実施するための形態】
【００１４】
以下、本発明を実施するための最良の形態（以下実施形態という）を、図面に従って説明する。
【００１５】
最初に展示物説明システムの構成について説明する。図１は、展示物説明システム１を示すブロック図である。展示物説明システム１は、歴史博物館や美術館などの展示会場で利用するものである。この展示物説明システム１は、展示会場において、閲覧者が携帯しているスマートフォンに展示物のガイダンスを実行させるためのアプリケーションを起動した携帯端末１００と、展示物４００の近傍に設置される基地局２００（無線ＬＡＮアクセスポイント）と、展示物４００の説明情報を予め保存して各携帯端末１００に配信する展示物説明情報配信サーバ３００と、を有する。ここで、携帯端末１００と基地局２００は無線ＬＡＮを介して通信を行い、各基地局２００と展示物説明情報配信サーバ３００とは有線ＬＡＮを介して通信を行う。
【００１６】
次にスマートフォン等である携帯端末のブロック図について説明する。図２は、携帯端末１００の構成例を示すブロック図である。この図において、携帯端末１００は、制御を司るＣＰＵ１０３と、情報を記憶する記憶装置としてプログラムメモリ１０４，情報保存メモリ１０５，作業メモリ１０６と、閲覧者とのインターフェースとして表示制御部１０８，操作制御部１０９，表示・操作部１１０，音声出力制御部１０７と、通信機能である無線ＬＡＮ制御部１１２と、スマートフォン特有の広域回線制御部１１１と、を備えている。
【００１７】
次に各部の機能について詳説する。制御を司るＣＰＵ１０３は、プログラムメモリ１０４に格納されたプログラム（アプリケーション）により携帯端末１００全体の制御を行う。作業メモリ１０６には、プログラムを記憶すると共にプログラムが動作する際に必要となるワークエリアや変数が格納され、情報保存メモリ１０５には、後述する基地局・展示紐付けリスト６００や、展示物説明情報配信サーバ３００から受信した説明情報などが格納されている。閲覧者とのインターフェースを制御する操作制御部１０９は、閲覧者が表示・操作部１１０を操作した操作内容をＣＰＵ１０３に通知すると共に、表示制御部１０８は、ＣＰＵ１０３からの指令により表示・操作部１１０に、文字や画像を表示する。ここで、表示・操作部１１０はタッチパネルなどにより構成され、表示内容を表示すると共に、パネル操作が可能である。音声出力制御部１０７は、ＣＰＵ１０３からの指令により音声をスピーカやイヤフォンなどに出力する。通信機能である無線ＬＡＮ制御部１１２は、ＣＰＵ１０３からの指令により無線ＬＡＮ通信の制御を行い、各基地局と無線フレームの送受信を行う。また、スマートフォン特有の広域回線制御部１１１は、広域回線を介して他の携帯端末や携帯電話と通話やメールの送受信及びインターネットを介してデータ通信を行うものである。
【００１８】
基地局２００のブロック図について説明する。図３は、基地局２００の構成例を示すブロック図である。この図において、基地局２００は、ＣＰＵ２０１，プログラムメモリ２０２，情報保存メモリ２０３，作業メモリ２０４，無線ＬＡＮ制御部２０５，有線ＬＡＮ制御部２０６を備えている。ＣＰＵ２０１はプログラムメモリ２０２に格納されたプログラムに従って基地局２００を制御する。情報を記憶する装置として、情報保存メモリ２０３には、ネットワークに関する情報（例えば、ＭＡＣアドレスやＩＰアドレス、無線周波数など）が格納され、作業メモリ２０４には、プログラムが動作する際に必要となるワークエリアや変数が格納される。無線ＬＡＮ制御部２０５はＣＰＵ２０１からの指令により無線ＬＡＮ通信の制御を行い、各携帯端末と無線フレームの送受信を行う。有線ＬＡＮ制御部２０６はＣＰＵ２０１からの指令により無線ＬＡＮ通信の制御を行い、各携帯端末と無線フレームの送受信を行う。有線ＬＡＮ制御部２０６はＣＰＵ２０１からの指令により有線ＬＡＮ通信の制御を行い、展示物説明情報配信サーバ３００や他の基地局２００と有線フレームの送受信を行う。
【００１９】
展示物説明情報配信サーバ３００のブロック図について説明する。図４は、展示物説明情報配信サーバ３００の構成例を示すブロック図である。この図において、展示物説明情報配信サーバ３００は、ＣＰＵ３０１，プログラムメモリ３０２、作業メモリ３０３、有線ＬＡＮ制御部３０４、情報保存メモリ３０５を備えている。ＣＰＵ３０１はプログラムメモリ３０２に格納されたプログラムに従って展示物説明情報配信サーバ３００を制御する。作業メモリ３０３には、プログラムが動作する際に必要となるワークエリアや変数が格納される。有線ＬＡＮ制御部３０４はＣＰＵ３０１からの指令により有線ＬＡＮ通信の制御を行い、基地局２００と有線フレームの送受信を行うとともに、基地局２００を介して各携帯端末１００と情報の送受信を行う。
【００２０】
情報保存メモリ３０５には、各展示物に関する説明情報である文字、画像、音声データなどが保存される。後述する携帯端末１００の展示物説明情報要求手段が、展示物説明情報配信サーバ３００に展示物説明情報要求を送信したならば、展示物説明情報配信サーバ３００は、情報保存メモリ３０５に保存されている当該展示物に関する文字、画像、音声データを、当該展示物情報を要求した携帯端末１００に返送する。
【００２１】
次に基地局・展示物紐付けリストについて説明する。図５は、基地局と展示物を紐付けした基地局・展示物紐付けリスト６００の一例である。図１に示したように、基地局２００と展示物４００は１ペアとなり、展示物（例えば、真田幸村他）に対する基地局のＭＡＣアドレスが紐付けられている。この情報は、携帯端末１００の情報保存メモリ１０５に格納され、後述する近傍展示物リスト表示手段で利用される。
【００２２】
次に携帯端末での展示物情報表示について図６から図９を用いて説明する。本実施形態では、スマートフォンを使用することで、各種アプリケーションを実行させることができる。閲覧者は、歴史博物館の展示会場の閲覧を開始する前に、歴史博物館のＵＲＬにアクセスして、図６に示す「説明情報をロード」を実行する。「説明情報をロード」を実行すると、携帯端末を展示物説明システムとして機能させるアプリケーションと必要な展示物情報が携帯端末にインストールされる。アプリケーションを起動すると、図７に示すような展示順序に並んだ展示物のタイトルが表示される。ここで、展示順序トップの「真田幸村」をタップすると、図８に示す画面が表示される。
【００２３】
図８は、携帯端末１００に展示物情報を表示している例である。携帯端末１００の表示部１０１に、展示物の内容が、画像や文字で表示され、また、その内容をイヤフォン１０２で聞くこともできる（図８は真田幸村の例）。ガイダンスが終了すると、図９に示すようにガイダンスが終了した「真田幸村」がグレーアウトされ、展示順序に並んだ展示物のタイトル表示となる。以後、閲覧者は順次ガイダンスを受けることになる。
【００２４】
次に携帯端末が展示物説明情報を表示するまでの処理の流れについて概説する。図１０は、携帯端末１００が、閲覧者に対して展示物のガイダンス処理の流れを示したフロー図である。まず、携帯端末１００は、近傍の基地局２００が送信する無線フレームを受信して受信電界強度を測定する（電界強度測定手段Ｓ１０）。Ｓ１０が終了するとＳ１２に移る。Ｓ１２において、携帯端末１００は、所定期間内に測定した近傍の基地局２００の受信電界強度の履歴を用いて当該携帯端末１００の近傍の基地局２００を推定する（近傍基地局推定手段Ｓ１２）。なお、電界強度測定手段Ｓ１０と近傍基地局推定手段Ｓ１２は、その実施形態が２つあるので最初に第１の実施形態を示し、第２の実施形態は後述する。
【００２５】
携帯端末１００は、近傍基地局推定手段Ｓ１２により推定した近傍基地局のＭＡＣアドレスと基地局・展示物紐付けリスト６００を参照してＳ１４に移り、当該携帯端末１００に近傍にある図８の展示物のリストを表示する（近傍展示物リスト表示手段Ｓ１４）。携帯端末１００の表示部１０１に表示された近傍展示物リストに対し、携帯端末１００は、近傍展示物リストの中から情報説明を受けたい展示物を閲覧者から受け付ける（展示物リスト選択手段Ｓ１６）。携帯端末１００は、Ｓ１６において、例えば、閲覧者が近傍展示物リストの当該展示物のパネル箇所をタップ（Ｙｅｓ）したことを受け付けることでＳ１８に移る。なお、終了処理となった場合（Ｎｏ）には処理を終了することになる。
【００２６】
携帯端末１００は、Ｓ１６にて閲覧者が展示物を選択すると、基地局２００を介して閲覧者が選択した展示物の説明情報の転送を展示物説明情報配信サーバ３００に要求する（展示物説明情報要求手段Ｓ１８）。次に、展示物説明情報配信サーバ３００は、基地局２００を介して当該携帯端末１００に当該展示物の説明情報を展示物説明情報配信サーバ３００に要求する（展示物説明情報要求手段Ｓ１８）。次に、展示物説明情報配信サーバ３００は、当該携帯端末１００に当該展示物の説明情報を返送する。そして、携帯端末１００は、展示物説明情報表示手段Ｓ２０により展示物説明情報配信サーバ３００から返信された説明情報を図８のように表示する。以上の手順により、閲覧者は展示会場内の多くの展示物の中から、携帯する携帯端末近傍の展示物を即座に選択して、当該展示物の説明を受けることが可能となる。
【００２７】
ここで、図１０の電界強度測定手段Ｓ１０、近傍基地局推定手段Ｓ１２，近傍展示物リスト表示手段Ｓ１４，展示物説明情報要求手段Ｓ１８、展示物説明情報表示手段Ｓ２０及びこれに付随する展示物説明システムの携帯端末１００用のプログラムがスマートフォンのアプリケーションである。閲覧者が当該アプリケーションをインターネットを介してダウンロードするようにしておけば、展示会場に来場する不特定多数の閲覧者に展示物説明システムを提供することができ、また、展示物説明情報要求手段と展示物説明情報表示手段が無線ＬＡＮと有線ＬＡＮを介して説明情報伝送するようにすれば、閲覧者に対して無料で文字、画像や音声などの豊富な情報力によるガイダンスを提供することができ、従来の展示物説明システムに比べ、専用機器が不要で、システム導入費が低コストで済むという利便性の高い展示物説明システムを提供することができる。
【００２８】
第１の実施形態：電界強度測定手段Ｓ１０と近傍基地局推定手段Ｓ１２について第１の実施形態を詳説する。図１１，図１２は、電界強度測定手段Ｓ１０の第１の実施形態に関する図である。図１１に示すように、無線ＬＡＮの基地局２００は、定期的（通常１００ｍｓｅｃ）毎にビーコンフレームを送信しており、これにより携帯端末１００などの無線ＬＡＮ端末は基地局２００の所在を把握できるようになっている。（ＩＥＥＥ８０２．１１規格）。ビーコンフレームは、アクセスポイントである基地局２００と携帯端末１００や、端末同士で接続を確立するために送受信される情報であり、本発明の実施形態では、このビーコンフレームを携帯端末１００が受信して受信電界強度測定を行う。なお、ビーコンフレームにはビーコンフレームを送信した基地局２００のＭＡＣアドレスが含まれているので、携帯端末１００は、近傍の基地局２００のＭＡＣアドレスを判別できる。
【００２９】
図１２は、電界強度測定手段Ｓ１０と近傍基地局推定手段Ｓ１２を周期的に実施していることを示す図である。携帯端末１００は、Ｔｓの周期（例えば、Ｔｓ＝５００ｍｓｅｃ）で、電界強度測定手段Ｓ１０と近傍基地局推定手段Ｓ１２を実施する。電界強度測定手段Ｓ１０は、複数の近傍の基地局２００のビーコンフレームを受信できるように「Ｔｗ＝１００ｍｓｅｃ＋α」の間、ビーコンフレームを受信して電界強度を測定する。そして、近傍基地局推定手段Ｓ１２は、過去Ｎ個の受信電界強度測定履歴を利用して近傍の基地局２００を推定する。
【００３０】
例えば、図１２において、Ｎ＝１０とした場合は、１０回目の近傍基地局推定手段の７０２−１０においては、１回目から１０回目の電界強度測定手段で測定して受信電界強度測定履歴を利用して近傍の基地局２００を推定することになり、１１回目の電界測定手段で測定して受信電界強度測定履歴を利用して近傍の基地局２００を推定することになり、１１回目の近傍の基地局推定手段の７０２−１１においては、２回目〜１１回目の電界強度測定手段で測定した電界強度測定履歴を利用して近傍の基地局２００を推定することになる。
【００３１】
図１３は、電界強度測定履歴とそれを利用した近傍の基地局２００の推定方法の一例である。この例では、Ｎ＝１０として過去１０回の電界強度測定結果を利用して近傍の基地局を推定している。本実施形態では、まず、過去１０回の電界強度測定の中で、一定回数以上、ビーコンフレームを受信できた基地局を近傍の基地局２００の候補とし（例えば４回以上）、次に、その中でその受信電界強度の平均値が大きい基地局２００をより近傍の基地局として推定している。
【００３２】
図１３の例では、受信電界強度の平均値が高いＭＡＣアドレスＡ「００：００：００：００：００：０３」（−６２．８ｄＢ）とＭＡＣアドレスＢ「００：００：００：００：００：０２」（−７８．０ｄＢ）が近傍の基地局２００の候補であり、その中でも、ＭＡＣアドレスＡ（−６２．８ｄＢ）の方がより近傍であると推定している。この推定結果を用いて図７の近傍展示物リストを周期的に表示することで、閲覧者は常に最新の近傍展示物リストを見ることができ、当該近傍物リストから容易に展示物を選択して、当該展示物のガイダンスを視聴することが可能になる。つまり、展示会場内の数多い展示物の中から閲覧者が視聴したい展示物を選択する煩わしさを低減できる。
【００３３】
さらに、近傍の展示物を推定する際に、予め決められている展示物閲覧順序を用いて近傍展示物リストを更新することで近傍の基地局の推定が容易となる。本実施形態では、一定値以上の受信電界強度までは電界強度優先にて実行し、受信電界強度が一定値以上の基地局がなければ、「予め決められている展示物閲覧順序」を優先している。
【００３４】
例えば、ＭＡＣアドレスＡからＧまでの閲覧順序が「Ａ→Ｂ→Ｃ→Ｄ→Ｅ→Ｆ→Ｇ」の場合、かつ、受信電界強度の平均値が−５０dBm以上の場合が近傍であるとする場合において、測定された受信電界強度が「Ａ：−７５dBm，Ｂ：−６０dBm，Ｃ：−６５dBm，Ｄ：−６７dBm」の場合で、かつ、Ａ，Ｂをすでに説明済みならば、本実施形態では、「Ｃ→Ｂ→Ｄ」の順に近傍展示物リストに表示する。この処理は、−５０dBm以上の基地局はなく、Ｂの近くにはいるが、Ｃに近づくであろうと推定するためである。
【００３５】
その他の例としては、測定された受信電界強度が「Ｄ：−７５dBm，Ｅ：−５０dBm，Ｆ：−７０dBm」の場合で、かつ、Ａ，Ｂをすでに説明済みならば、「Ｅ→Ｆ→Ｄ」の順に近傍展示物リストに表示する。この処理は、Ｃ，Ｄは通過しただろうと推定するためである。なお、閲覧が進むに従い、離れた展示物を示す展示物リストとなった場合には、上記推定処理により、携帯端末１００から明らかに遠いと推定した展示物は他の展示物と異なる表示にする（他の展示物と色を変える、遠いことを示すマークを表示する）。
【００３６】
第２の実施形態：図１４，図１５は電界強度測定手段の第２の実施形態である。前述したように、無線ＬＡＮの基地局２００は、定期的にビーコンフレームを送信しているが、図１４に示すように、携帯端末１００からのプローブリクエストフレームを送信すると、それを受信した各基地局２００は、自局のＭＡＣアドレスを含むプローブレスポンスフレームを応答するようになっている（ＩＥＥＥ８０２．１１規格）。プローブリクエストとは、近傍に配置されたアクセスポイントである基地局２００や携帯端末１００の存在を調べるために、「もしこの要求を受信できたら、応答をするように依頼する」という内容のリクエストである。これを利用して、携帯端末１００は、プローブリクエストを送信してからＴｒの間（例えば５０ｍｓｅｃ）、近傍の基地局２００からのプローブレスポンスを受信することにより、近傍の基地局２００のＭＡＣアドレスと受信電界強度を測定することができる。
【００３７】
図１５は、プローブリクエストフレームを利用した電界強度測定手段の第２の実施形態である。例えば、通常、携帯端末１００は、閲覧者に対して図６のような説明情報のダウンロードを促す画面を表示しており、閲覧者が説明情報のダウンロードを操作パネルから指示したことをトリガとして、携帯端末１００は一定回数プローブリクエストフレームの送信とプローブリクエストフレームの受信を繰り返して、近傍の基地局２００の受信電界強度を測定する。例えば、図１５のように５回繰り返す。なお、図６はアプリケーションのダウンロードを例に説明したが、これに限らず、各展示物の情報のダウンロードで実行しても良い。
【００３８】
図１６は、図１５による電界強度測定履歴の一例である。繰り返し測定した回数分の測定結果を利用して近傍の基地局２００を推定している。本実施形態では、まず、５回の測定の中で一定回数受信できたもの（例えば３回以上）を、近傍の基地局２００の候補として、その中で、その平均値が大きい基地局２００を、より近傍の基地局２００として推定している。図８は、この推定結果を用いた近傍展示物リストの表示例である。
【００３９】
第２の本実施形態では、閲覧者による説明情報ダウンロードの指示が必要であり、また、その指示から近傍展示物リスト表示手段の完了までに、２５０ｍｓｅｃ（５０ｍｓｅｃ×５回）＋αの時間を要するが、第１の実施形態と比較すると、常にビーコンフレームを受信する必要がなく、通常は無線ＬＡＮによる受信動作が不要なので、携帯端末を低消費電流化できる利点がある。
【００４０】
以上、上述したように、本実施形態に係る展示物説明システムを用いることにより、携帯端末は専用機ではなく、閲覧者自身が所有するスマートフォンなどの携帯端末を利用することができる。使用できるスマートフォンとしては、ｉ−ｐｈｏｎｅ（登録商標）携帯電話やＡｎｄｒｏｉｄ（登録商標）携帯電話である。また、本実施形態では、携帯端末の位置推定のために電波傍受用の専用機器は使用せずに、携帯端末と無線ＬＡＮ基地局の間で簡易な手段により電界強度測定を実施して位置推定可能とすることにより、システム開発費、システム導入費を低減することができる。なお、本実施形態では、携帯端末をスマートフォンとして説明したが、これに限らず、小型のＰＣ、タブレット型ＰＣ又はウェアラブルＰＣであってもよい。
【符号の説明】
【００４１】
１  展示物説明システム、１００  携帯端末、１０１  表示部、１０２  イヤフォン、１０４，２０２，３０２  プログラムメモリ、１０５，２０３，３０３  情報保存メモリ、１０６，２０４  作業メモリ、１０７  音声出力制御部、１０８  表示制御部、１０９  操作制御部、１１０  表示・操作部、１１１  広域回線制御部、１１２，２０５  無線ＬＡＮ制御部、２００  基地局、２０６，３０４  有線ＬＡＮ制御部、３００  展示物説明情報配信サーバ、３０５  情報保存メモリ、４００  展示物、６００  基地局・展示紐付けリスト。
【図１】
2013026765.tif 000003
【図２】
2013026765.tif 000004
【図３】
2013026765.tif 000005
【図４】
2013026765.tif 000006
【図５】
2013026765.tif 000007
【図６】
2013026765.tif 000008
【図７】
2013026765.tif 000009
【図９】
2013026765.tif 000010
【図１０】
2013026765.tif 000011
【図１１】
2013026765.tif 000012
【図１２】
2013026765.tif 000013
【図１３】
2013026765.tif 000014
【図１４】
2013026765.tif 000015
【図１５】
2013026765.tif 000016
【図１６】
2013026765.tif 000017
【図８】
2013026765.tif 000018